(57)【要約】【課題】印字中にトラブルが発生した際、チェックライタをスタート又はリスタートすることにより、特別な操作を必要とせず抹消印字を行なうことができるチェックライタを提供すること【解決手段】小切手や手形などの被印字紙７に金額などを印字する、以下の要件を備えることを特徴とする、チェックライタＡ。（イ）上記チェックライタは抹消情報を記憶する抹消情報記憶手段１２と、該抹消情報記憶手段の抹消情報を印字開始前にセットし、印字が終了したときには上記抹消情報記憶手段１２の抹消情報をリセットする制御部１０とを備えたこと（ロ）上記制御部１０はスタートまたはリスタート時に上記抹消情報記憶手段１２の情報を確認し、抹消情報がセットされている時には自動的に抹消印字ｂを行なうこと【選択図】図１
2007301725.tif 000002
【特許請求の範囲】
【請求項１】
小切手や手形などの被印字紙に金額などを印字する、以下の要件を備えることを特徴とする、チェックライタ。
（イ）上記チェックライタは抹消情報を記憶する抹消情報記憶手段と、該抹消情報記憶手段の抹消情報を印字開始前にセットし、印字が終了したときには上記抹消情報記憶手段の抹消情報をリセットする制御部とを備えたこと
（ロ）上記制御部はスタートまたはリスタート時に上記抹消情報記憶手段の情報を確認し、抹消情報がセットされている時には自動的に抹消印字を行なうこと
【発明の詳細な説明】
【技術分野】
【０００１】
本発明は、チェックライタ、詳しくは印字途中でトラブルが発生した時に自動的に抹消印字することができるチェックライタに関するものである。
【背景技術】
【０００２】
従来、小切手や手形に金額などを印字するチェックライタは、印字ミスがあった場合は金額印字の上に抹消線を手書きで書いていたが、抹消印字ボタンを押し操作することにより印字を抹消する機能を備えたチェックライタが提案されている（例えば、特許文献１）。
【特許文献１】実開平７−２１３６１号公報
【発明の開示】
【発明が解決しようとする課題】
【０００３】
本発明が解決しようとする問題点は、印字を抹消する場合は、印字ミス以外に印字中にインクリボン切れや電源ダウンなどにより中断した場合、抹消印字をさせるために抹消印字ボタンなどの操作ボタンを押し操作するなどの特別な操作をしなければならず手間がかかるという問題があった。
【０００４】
本発明は、上記問題点を解決し、印字中にトラブルが発生した際、チェックライタをスタート又はリスタートすることにより、特別な操作を必要とせず抹消印字を自動的に行なうことができるチェックライタを提供することを課題とする。
【課題を解決するための手段】
【０００５】
前記課題を解決するために本発明に係るチェックライタは、小切手や手形に金額などを印字する、以下の要件を備えることを特徴とする。
（イ）上記チェックライタは抹消情報を記憶する抹消情報記憶手段と、該抹消情報記憶手段の抹消情報を印字開始前にセットし、印字が終了したときには上記抹消情報記憶手段の抹消情報をリセットする制御部とを備えたこと
（ロ）上記制御部はスタートまたはリスタート時に上記抹消情報記憶手段の情報を確認し、抹消情報がセットされている時には自動的に抹消印字を行なうこと
【発明の効果】
【０００６】
本発明によれば、印字開始前に抹消情報をセットし、正しく印字が終了したときには上記抹消情報をリセットする抹消情報記憶手段を備えたので、印字が正しく終了しない状態でトラブルが発生した場合、電源を入れなおすなどの再立ち上げを行なうことにより、抹消情報に基づいて自動的に抹消印字をすることができ、利用者の手を煩わすことなく抹消印字ができるチェックライタを提供することができる。
【発明を実施するための最良の形態】
【０００７】
図１において符号Ａは、本発明に係るチェックライタを示し、このチェックライタＡは金額を入力する数字キー２及び四則演算、発行、累計等の操作キー３とからなるキーボード部１（入力手段）と、入力したデータを表示する表示部４と、入力したデータを被印字紙７に印字するプリンタ５と、上記キーボード部１、表示部４及びプリンタ５を制御する制御部１０とを有し、このチェックライタＡは数字キー２で入力した数字を表示部４に表示するとともに発行キー３ａを操作することにより印字台６上に載せた小切手等の被印字紙７に金額として￥，，，※とともに自動的に印字（例えば１２３４５と入力した場合は￥１２，３４５※と印字）するようになっている公知の機能を備えたチェックライタＡに、抹消印字を自動的に行なう機能を備えたものである。
【０００８】
図２は、上記チェックライタＡの電気的構成を説明するブロック図で、制御部（ＣＰＵ）１０は内部メモリ１１に記憶されている制御プログラムに基づいてチェックライタ全体を制御するもので、この制御部１０はキーボード部１で入力した金額を液晶ディスプレイなどの表示部４に表示し、発行の操作キー３を押し操作するとプリンタ５を作動させて小切手等の被印字紙に金額印字を行なうが、金額印字を行なう際に、印字が正しく終了したか否かを抹消情報記憶手段１２に記憶しておき、制御部１０はこの抹消情報記憶手段１２の情報に基づいて抹消印字を行なうか否かを判断するようになっている。
【０００９】
なお、この抹消情報記憶手段１２は図示しない内部電池でバックアップされたメモリや、バックアップの電池を必要としないフラッシュメモリなどのＲＡＭで構成され、抹消情報である抹消フラグのセット、リセットが記憶できるようになっていればよい。
【００１０】
また、図２において、符号１３は交流電源、符号１４は電源スイッチを示し、電源スイッチ１４をＯＮすると、電源回路１５で直流に変換され、制御部１０、表示部４、プリンタ５等に電圧を供給するとともに、電圧検出部１６で電源電圧を検出し電圧異常が発生した場合は異常信号を制御部１０に出力し、この異常信号を受け取った制御部６は表示部４にエラー表示をさせるようにし、印字中にエラーが発生した場合は印字を中断するようにしてもよい。
【００１１】
次に、上記チェックライタＡの作動態様を、図３のフローチャート図に基づいて説明する。
【００１２】
電源スイッチ１４をＯＮすると、先ず制御部１０は、ステップＳＴ１で抹消情報記憶手段１２の抹消情報をチェックする。抹消フラグがリセットされていれば、ステップＳＴ３に進んでスタンバイ状態に入り、数字キー２や操作キー３の操作が行なわれるのを待ち、抹消フラグがセットされていれば、ステップＳＴ２に進んで抹消印字を行った後、ステップＳＴ３に進んでスタンバイ状態に入り、数字キー２や操作キー３の操作が行なわれるのを待つ。
【００１３】
金額を数字キー２から入力し、発行キーを押し操作すると制御部１０はプリンタ５を駆動して印字を開始するが（ステップＳＴ４）、印字動作を行う前に抹消フラグをセットした後（ステップＳＴ５）、小切手などの被印字用紙に印字を始め、図４（ａ）に示すように、印字中にトラブルがなく、入力した金額（例えば、１２３４５６７８９０）の金額印字ａが終了すると、ステップＳＴ７に進んで抹消フラグをリセットし、ステップＳＴ３に戻って次の金額入力操作を待つ。
【００１４】
電源電圧の異常やリボンがなくなったりしてエラーが発生し、図４（ｂ）に示すように、印字が正しくできなかったときは、ステップＳＴ８に進んで、エラー表示をし、チェックライタは印字を停止する。金額印字の途中でトラブルが発生した場合は、制御部１０は抹消フラグをリセットすることができずに停止状態になるので、抹消情報記憶手段であるＲＡＭ１２の抹消フラグはセットされたままになっている。
【００１５】
なお、印字中に停電などがあって印字が中断した場合は、エラー表示がされることはないが、同様に抹消フラグはリセットできていない。
【００１６】
再使用するため、リボン交換などのリカバリー操作をした後、電源を再度立ち上げてリスタートすると、制御部１０は先ず、ステップＳＴ１でＲＡＭ１２の抹消情報をチェックすることになるが、抹消フラグはリセットされていないのでステップＳＴ２に進んで、図４（ｃ）に示すように、金額欄全てに抹消印字ｂを自動的に行い、ステップＳＴ３に進んでスタンバイ状態に入る。
【００１７】
なお、制御部１０は金額印字ａが何処まで実施されているかを逐次上記ＲＡＭ１２に記憶し、抹消印字ｂを行なう際、図４（ｄ）に示すように、印字した桁のみに抹消印字ｂを印刷しても構わない。
【００１８】
上述のように、印字を開始する前に抹消フラグをセットし、印字が終了すると抹消フラグをリセットするので、印字途中でトラブルが発生して印字が終了しない場合は抹消フラグがリセットされていないので、リスタートした時には制御部１０は先ず抹消フラグの状態を確認して抹消印字を行なうか否かを判断してくれるので、利用者が一々抹消ボタンを押すことなく自動的に抹消印字を行なうことができる。
【図面の簡単な説明】
【００１９】
【図１】本発明に係るチェックライタの斜視図
【図２】上記チェックライタの電気的構成を説明するブロック図
【図３】上記チェックライタの作動態様を説明するフローチャート図
【図４】（ａ）〜（ｄ）は小切手に印刷された金額及び抹消印字の説明図
【符号の説明】
【００２０】
１    キーボード部
２    数字キー
３    操作キー
４    表示部
５    プリンタ
７    被印字紙
１０    制御部
１２    抹消情報記憶手段
Ａ    チェックライタ
ａ    金額印字
ｂ    抹消印字
【図１】
2007301725.tif 000003
【図２】
2007301725.tif 000004
【図３】
2007301725.tif 000005
【図４】
2007301725.tif 000006